(57)【要約】【課題】  層間絶縁での部分放電と対地絶縁での部分放電とを区別して絶縁状態を診断することができる層間絶縁診断技術を提供することにある。【解決手段】  回転電機のコイル毎に、または、複数のコイルを含むブロック毎に、診断すべきコイルから部分放電電流を検出するためのプローブ２を接続し、プローブ２により検出される部分放電電流を、インタフェース装置５４０を介して取り込んで、コンピュータ５１０により、取り込んだ部分放電電流の極性を判別して、当該部分放電電流が、層間絶縁による部分放電によるものか、対地絶縁の部分放電によるものかを弁別して、層間絶縁に異常があるかを、予め記憶している基準値と比較して、異常であるかを判定して、その結果を出力する。【選択図】  図２６
2007047184.tif 000002
【特許請求の範囲】
【請求項１】
コイルが複数装着された回転電機において、
コイルを接続するコイル間接続部導体とアースとを容量性結合し、当該容量性結合部分に、放電電流センサを設置することを特徴とする回転電機。
【請求項２】
請求項１に記載の回転電機において、
中性点が接地されている場合、中性点に相当するコイル間接続部では、中性点接地線に放電電流センサを設置することを特徴とする回転電機。
【請求項３】
請求項１および２のいずれか一項に記載の回転電機において、
前記放電電流センサとして、電流プローブ、ロゴウスキコイル、高周波ＣＴ、抵抗を使用することを特徴とする記載の回転電機。
【請求項４】
回転電機のコイル印加電圧測定方法において、
口出し部では、容量性または抵抗性分圧器に発生する電圧で、コイル間接続部では、アースとの間の容量性結合部のコンデンサに発生する電圧で、測定することを特徴とする、回転電機のコイル印加電圧測定方法。
【発明の詳細な説明】
【技術分野】
【０００１】
本発明は、回転電機コイルの層間絶縁を診断する技術に係り、特に、新たに設計される回転機について層間絶縁に関する知見を提供すると共に、回転機の絶縁状態を監視しつつ運転することに寄与する層間絶縁を診断する技術に関する。
【背景技術】
【０００２】
一般に、回転電機は、図３８に示すように、固定子１８１と回転子１８２から形成される。回転電機の固定子コイル１６０は、固定子スロット１８３に設置されている。該コイル１６０をスロットから取り外すと、図３９Ａに示す形状をしている。また、該コイル１６０は、図３９Ｂの断面図に示すように、層間絶縁１７０で外周を覆われたコイル導体１７１を複数回巻いたコイル導体束１７２に対地絶縁１７３が施されて、形成されている。前者の層間絶縁１７０は、コイル導体間、すなわち巻線間を絶縁する。一方、対地絶縁１７３は、コイル導体１７１とアース電位であるコアとの間を絶縁する。
【０００３】
一般に、商用周波で回転電機を運用する場合、対地絶縁には、（定格電圧）／√３Ｖが印加されている。これに対し、コイル導体間の層間絶縁には、数Ｖ程度の電圧しか加わっていない。このため、従来の絶縁診断は、主に対地絶縁に対し行われている。
【０００４】
一方、近年、回転電機のインバータ駆動が盛んに行われている。インバータ駆動モータでは、例えば、電気学会技術報告第７３９号、ｐ．１４のように、層間絶縁に大きな電圧が分担されることが報告されている。とりわけ、高速スイッチング素子であるＩＧＢＴを使用したインバータでは、層間絶縁により大きな電圧が加わる。このため、インバータ駆動回転電機では、対地絶縁だけでなく、層間絶縁の絶縁診断が必要とされている。
【０００５】
従来、このような層間絶縁の診断装置としては、例えば、特開平８−１２２３８８号公報、特開平９−２５７８６２号公報に示される、層間絶縁の劣化信号の一つである部分放電を検出する装置がある。また、特開平９−２５７８６２号公報に示される、層間短絡状態を検出する装置がある。前者の層間絶縁診断装置では、高周波高圧電源、インパルスなどのサージ電源により、層間絶縁に電圧を印加し、部分放電に伴う、電流、電磁波、音波などの各種信号を検出する。一方、後者の層間絶縁診断装置では、コイルにサージ電圧を印加し、サージの伝播時間の違いにより発生する検出信号波形の違いから、層間絶縁の短絡を検出する。
【０００６】
【特許文献１】特開平８−１２２３８８号公報
【特許文献２】特開平９−２５７８６２号公報
【発明の開示】
【発明が解決しようとする課題】
【０００７】
前者の層間絶縁診断装置では、コイルに電圧を印加した場合、層間絶縁だけでなく、対地絶縁にも電圧が印加される。このため、層間絶縁だけでなく、対地絶縁での部分放電も発生する。しかし、前者の方法では、層間絶縁での部分放電と対地絶縁での部分放電とを、区別することができない。このため、層間絶縁の絶縁診断をすることは困難であった。
【０００８】
一方、サージ電圧による層間絶縁診断装置は、特開平８−１２２３８８号公報に述べられているように、完全な層間短絡状態しか検出できない。このため、層間絶縁の絶縁診断としては十分でない。
【０００９】
以上のように、従来、回転電機では、層間絶縁の絶縁劣化診断が困難であった。また、かかる状況下では、商用周波電源、あるいは、旧型のインバータ電源用に製作された中古回転電機を、新規インバータ電源で駆動することは困難であるという問題があった。
【００１０】
本発明の目的は、層間絶縁での部分放電と対地絶縁での部分放電とを区別して絶縁状態を診断することができる層間絶縁診断技術を提供することにある。
【課題を解決するための手段】
【００１１】
本発明の基本的な原理は、層間絶縁と対地絶縁の部分放電とを、放電電流センサで検出される放電電流の極性により区別することにある。それにより、層間絶縁と対地絶縁の部分放電を区別する層間絶縁診断、および、そのための装置を実現する。
【００１２】
例えば、本発明の層間絶縁診断の第１の態様では、回転電機の口出し部の電源線あるいは電源線に接続された結合コンデンサと、回転電機のコイル間接続部に設置した放電電流センサにて検出される部分放電電流の極性により、層間絶縁と対地絶縁の部分放電を区別する。
【００１３】
また、第２の態様では、コイル間接続部に放電電流センサを取り付ける代わりに、コイル間接続部導体とアース間とを容量性結合し、コイル間接続部導体からアースへ流れる部分放電電流を放電電流センサで検出することで、層間絶縁診断を行う。なお、この場合、特に、中性点を接地した回転電機では、中性点接地線に放電電流センサを設置することができる。
【００１４】
本発明は、この他の態様として、例えば、各コイルの対地電圧波形を測定する場合、電圧波形の位相と放電電流の極性から、層間絶縁と対地絶縁の部分放電を区別する計測部を設けた層間絶縁診断装置によっても実現できる。
【００１５】
また、例えば、コイル間接続部、または、コイル間接続部とアースの容量性結合部に、放電電流検出センサを取り付ける代わりに、回転電機コイルエンド部において、コイル間接続側の反対側のエンド部に放電電流センサを設けた層間絶縁診断装置によっても実現できる。
【発明の効果】
【００１６】
以上説明したように、本発明によれば、層間絶縁での部分放電と対地絶縁での部分放電とを区別して絶縁状態を診断することができる。
【発明を実施するための最良の形態】
【００１７】
以下、本発明の実施形態について、図面を参照して説明する。
【００１８】
（第１の実施形態）
図１に、第１の実施形態に係る層間絶縁診断装置を示す。本実施形態では、誘導電動機１０について層間絶縁診断を行う場合に用いられる例として説明する。
【００１９】
本実施形態の層間絶縁診断装置は、試験用電源装置７と誘導電動機１０が接続され、誘導電動機１０では、いずれかの相の第１コイルの口出し側に結合コンデンサが配置されており、該結合コンデンサを流れる電流を検出する第１の電流プローブ１と、誘導電動機１０の固定子コイル間接続部１４に流れる電流を検出する電流プローブ２と、各電流プローブ１，２の出力信号を受けて、診断を行えるようにする診断支援装置４００とを有する。診断支援装置４００は、各電流プローブ１，２の出力信号から電源周波数成分を除去するための多チャンネル高域通過フィルタ（遮断周波数１〜１００ＭＨｚ）３と、電源周波数成分が除去された出力信号について論理判断を行う論理弁別器４と、放電状態を検出する放電検出器５とを有する。
【００２０】
本実施形態では、具体的には、誘導電動機１０（６．６ｋＶ、５００ｋＶＡ）のＵ相第１コイル１１を試験用電源装置７（６．６ｋＶ、２００ｋＨｚ、正弦波）に接続し、Ｖ、Ｗ相の第１コイル１３をアースに接続している。Ｕ相の電源線９には結合コンデンサ６（１００ｐＦ）を付け、結合コンデンサ６の低圧側をアースに接続し、該接続線に電流プローブ１を設置している。一方、誘導電動機１０の各固定子コイル間の接続部１４に電流プローブ２を設置している。図１では、Ｕ相第１コイル１１とＵ相第２コイルとの間の接続部１４に電流プローブ２が配置されている例を示している。
【００２１】
各電流プローブ１、２の出力信号は、多チャンネル高域通過フィルタ（遮断周波数１ＭＨｚ）３に入力され、電源周波数成分が除去される。その後、論理弁別器４を介し、放電検出器５に入力される。放電検出器５としては、例えば、デジタルオシロスコープ（帯域１ＧＨｚ、サンプリング周波数４ＧＳ／ｓ）が用いられる。この放電検出器５により、放電状態を検出すると共に、その結果を表示することで、コイルの診断が行えるようにする。すなわち、この放電検出器５は、絶縁診断を支援する装置として機能する。
【００２２】
試験用電源装置７は、高周波電源７ａと、内部インピーダンス８とを有する。この内部インピーダンス８は、保護抵抗、ブロッキングインピーダンスとして機能する。
【００２３】
電流プローブ１、２は、例えば、電流を検出するコイルで構成され、センサとして機能する。これらの電流プローブ１、２は、それぞれコイルの一部を開閉可能として、検出対象の線を、コイル内に配置できる構造とする。なお、検出対象の線の一部が着脱できる場合には、電流プローブ１、２を開閉可能でなくともよい。また、電流プローブ１、２の一方または両方について、予め回転機に組み込むこともできる。そのような回転機について診断する場合には、組み込まれている電流プローブを用いることができる。
【００２４】
図４に論理弁別器４の一例を示す。論理弁別器４では、電流プローブ１、２の放電電流を、コンパレータ１９０により接地電位と比較し、正極性、負極性それぞれ５Ｖ，０Ｖの極性信号に変換する。極性信号は、層間絶縁の部分放電を検出する場合にはExclusive OR（排他論理和）回路１９１および反転回路１９２に入力され、該出力は、ＨレベルでＯＮするスイッチ１９４のトリガ端子に入力される。一方、対地絶縁の部分放電を検出する場合には、Exclusive OR回路１９１の出力はスイッチ１９３により、スイッチ１９４のトリガ端子に入力される。なお、部分放電信号のパルス幅が小さい場合には、コンパレータ１９０の出力を単安定マルチバイブレータに入力し、論理回路が動作するパルス幅の信号を取り出すようにすることもできる。
【００２５】
この論理弁別器４により、部分放電が、層間絶縁での部分放電か、対地絶縁での部分放電かを判別することができる。図３に、論理弁別器４により、出力信号２６として、層間絶縁部分放電電流が弁別されている例を示す。図３では、実線により層間絶縁部分放電電流２２を、また、破線により対地絶縁部分放電電流２３を表している。
【００２６】
次に、第１の実施形態の層間絶縁診断装置の原理および作用について説明する。
【００２７】
図２に、誘導電動機コイルのはしご型等価回路モデルと、正極性放電の時の層間絶縁、対地絶縁の部分放電電流経路を示す。図２では、説明の簡単のため、１コイルを、対地絶縁の静電容量Ｃg、層間絶縁の静電容量Ｃr、コイルのインダクタンスＬのＴ型等価回路で表している。また、部分放電電流の高周波成分は、層間絶縁の静電容量Ｃrを流れ、低周波成分はコイルのインダクタンスＬを流れるため、特に、ＣrとＬの並列回路部分を１ブロックと考え、放電電流の経路を示している。電流プローブ１、２の極性は、回転電機外部では試験相の口出し２７に向かう方向に流れる電流を正、回転電機内部では試験相の口出し２７から他相の口出し２８に流れる電流の向きを正としている。また、図２において、層間絶縁の部分放電、および、対地絶縁の部分放電のいずれかが発生するものとし、発生位置は、星印２０で示す位置において層間絶縁の部分放電が、また、星印２１で示す位置において対地絶縁の部分放電が、それぞれ発生するものとする。
【００２８】
層間絶縁診断装置の電流プローブ１では、層間絶縁と対地絶縁の放電電流は同極性である。このため、層間絶縁での部分放電と対地絶縁での部分放電とを区別できない。一方、電流プローブ２では、層間絶縁での部分放電電流と、対地絶縁での放電電流とは、逆極性である。しかしながら、電源電圧が極性反転すると、層間絶縁と対地絶縁の部分放電電流も極性反転する。このため、電流プローブ２だけでは、層間絶縁での部分放電と対地絶縁での部分放電とを区別できない。ところが、電流プローブ１、２で検出される部分放電電流は、それらを比較すると、表１のように、放電極性に関わらず、層間絶縁部分放電では同極性、対地絶縁部分放電では逆極性である。
【００２９】
【表１】
2007047184.tif 000003
【００３０】
このため、論理弁別器４において、電流プローブ１、２について、表１に示す極性の組合せを論理的に弁別することで、層間絶縁での部分放電と対地絶縁の部分放電とを区別することができる。すなわち、論理弁別器４により、電流プローブ１、２の放電電流が同極性の場合だけ、電流プローブ１、２のいずれかの信号を放電検出器に通過させることにより、層間絶縁の部分放電を検出することができる。一方、放電電流パルスが逆極性の場合だけ、信号を放電検出器に通過させることにより、対地絶縁の部分放電を検出できる。
【００３１】
さて、電流プローブ１により検出される部分放電電流２４と、電流プローブ２で検出される部分放電電流２５とが論理弁別器４に入力される。論理弁別器４では、前述した動作原理に基づき、論理的に判別を行って、出力信号２６を出力する。図３の例では、層間絶縁部分放電電流が検出されている。
【００３２】
以上の極性判別を、真理値表で表すと表２となる。ただし、表２の入力では、電流プローブ検出電流の正極性を“１”、負極性を“０”としている。また、出力では、真ならば“１”、偽ならば“０”としている。
【００３３】
【表２】
2007047184.tif 000004
【００３４】
図２、図３および表１では、第１コイルの層間絶縁と対地絶縁の部分放電判別作用について示している。その他のコイルについても、コイルの両端のコイル間接続部に電流プローブを設置し、放電電流の極性を比較することにより、層間絶縁での部分放電と対地絶縁での部分放電とを判別できる。また、複数コイルを１ブロックとし、各ブロックを挟む電源線、電源線に接続されたコンデンサ、コイル間接続部に、それぞれ電流プローブを設置することにより、ブロック内のコイルで発生する、層間絶縁での部分放電と対地絶縁での部分放電とを判別することができる。なお、非部分放電計測相の口出しに電流プローブを設置する場合には、口出しと対地とを接続する接地線に電流プローブを設置することができる。
【００３５】
さらに、第１の実施形態では、部分放電電流の極性に基づいて、対地絶縁部分放電発生コイルを特定し、または、特定コイルから発生する部分放電を計測できる。これは、本実施形態では、対地絶縁部分放電発生コイルの両端に設置した電流プローブの放電電流極性が逆極性となるためである。
【００３６】
一方、層間絶縁部分放電では、いずれのコイルで部分放電が発生しても、全ての電流プローブで、正極性放電では正極性の電流が、負極性放電では負極性の電流がそれぞれ検出される。このため、部分放電電流の極性だけでは層間絶縁部分放電発生コイルを見つけることはできない。しかしながら、層間絶縁部分放電発生コイルは、部分放電が発生してから各電流プローブに放電電流が到達する時間の遅れを計測することにより特定できる。これは、層間絶縁部分放電コイルに最も近い電流プローブで最も早く放電電流が検出されるためである。
【００３７】
表３に、口出しから第４コイルの対地絶縁部分放電発生時における各電流プローブの電流極性を示す。放電電流の極性は、対地絶縁部分放電発生コイルを境に逆転している。このため、各電流プローブの放電電流の極性パターンを調べるか、あるいは試験ブロック内のコイル数を減らしながら走査し、極性が逆転しているコイルを見つけることにより対地絶縁部分放電発生コイルを特定できる。
【００３８】
【表３】
2007047184.tif 000005
【００３９】
図５Ａに、表３の放電電流極性パターンから層間絶縁部分放電と判別された放電電流パルスを、縦軸を電流、横軸を時刻として、表示させた例を示す。また、層間絶縁部分放電発生コイルと各電流プローブの位置関係を、図５Ｂに示す。図５Ａにおける符号は、図５Ｂにおける電流プローブを示す符号に対応する。層間絶縁部分放電が発生したコイル２３０（同図中、星印で示す）の両端に設置した電流プローブ２３１、２３２で最も早く放電電流が検出されている。また、放電発生源から遠ざかるにつれて、放電電流の到着時間が遅くなっている。したがって、層間絶縁部分放電発生コイルは、最も早く放電電流が検出される電流プローブを見つけることにより、層間絶縁部分放電発生コイルを特定できる。この方法としては、上記のように、各電流パルスの立ち上がり（あるいは立下り）にトリガをかけて、立ち上がり（あるいは立下り）時刻を比較することにより特定できる。
【００４０】
これまで述べた装置では、診断そのものは、オペレータが行う。しかし、放電検出の結果に基づいて、絶縁診断を装置自身に行わせることもできる。そのようなシステムとして、情報処理装置５００を用いたシステム、例えば、図２６、図２８、図３１等のシステムがある。
【００４１】
図６〜図９には、全コイルに電流プローブを設置し、極性パターンおよび放電電流到達時間から各コイルの層間絶縁、対地絶縁部分放電発生源を特定し、各部分放電特性を測定した例を示す。一方、図１０、図１１には、試験ブロック内のコイル数を減らしながら走査し、極性が逆転しているコイルを見つける検索フローチャートを示す。このフローチャートを実現するプログラムは、後述するコンピュータ５１０の外部記憶装置５１４に格納されている。この検索のために、図１に示す、多チャンネル高域通過フィルタ３と論理弁別回路４とが、全コイル毎に設置された電流プローブ対応に設けられる。また、放電の時間変化を計測する装置も、同様に設置する。なお、これらの装置について、同時に使用しなくてよい装置は、切り替えて使用することで台数を減らすことができる。そして、得られた信号をディジタル処理可能に変換するインタフェース装置５４０（図３７参照）を介して、コンピュータ５１０（図３７参照）に取り込んで検索処理すると共に、その後のデータ処理および画面表示処理等を行う構成とする。画面表示処理としては、図６〜図９に例示する画面の表示、および、これに対する指示操作が挙げられる。
【００４２】
ここで、コンピュータ５１０の構成について説明する。図３７に示すように、コンピュータ５１０は、中央処理ユニット（ＣＰＵ）５１１と、リードオンリーメモリ（ＲＯＭ）５１２と、ランダムアクセスメモリ（ＲＡＭ）５１３と、ハードディス装置等で構成される外部記憶装置５１４とを有する。外部記憶装置５１４には、このコンピュータ５１０において実行されるプログラムとして、オペレーティングシステム、各種アプリケーションプログラム等が格納される。アプリケーションプログラムとして、典型的なものに、本発明において実行される診断プログラムが挙げられる。また、データとして、例えば、後述する各種測定データ、および、測定データから求められた各種値を格納する。これらのデータは、後述するように、コンピュータ５１０において加工され、特性図等の形式で表示することに用いられる。なお、コンピュータ５１０による処理の例は、図２６、
図３１、図３７等に示されている。処理については、後述する。
【００４３】
このコンピュータ５１０には、キーボード５２１、マウス５２２等の入力装置と、液晶ディスプレイ等の表示装置５３０と、計測値等を受け入れると共に、計測装置を制御する信号を出力するインタフェース装置５４０とが接続される。コンピュータ５１０と、これらの装置とを含めて、情報処理システム５００が構成される。なお、この情報処理システム５００は、一般的なコンピュータシステムで構成することができる。この他に、制御用コンピュータを用いて構成することができる。また、専用のコンピュータを用いて構成することもできる。ここで、計測装置としては、第１のコイル１、第２のコイル２、試験用電源装置７、および、複数設置される第２のコイル２の選択切換装置が挙げられる。また、図１に示す診断支援装置４００を計測装置として用いることもできる。
【００４４】
インタフェース装置５４０は、多チャンネル高速Ａ／Ｄ変換器５４１、ディジタルフィルタ５４２等を有する。また、図示していないが、計測装置との間で信号を送受信するための送受信ドライバを備えている。さらに、同様に図示していないが、コンピュータ５１０からの指令を送信するための回路をも有する。
【００４５】
図６〜図９は、測定結果を示す画面の例を示す図である。いずれも、コンピュータ５１０に接続される表示装置５３０（図３７参照）で表示される説明画面の例として示されている。図３７の例でいえば、インタフェース装置５４０を介して、検出データをコンピュータ５１０に取り込み、外部記憶装置５１４に予め用意してあるプログラムおよびデータを用いて処理することで、表示される。プログラムとしては、例えば、ＥＭＴＰ（Elector-Magnetic Transients Program）が用いられる。
【００４６】
図６から図９において、それぞれの画面５３００の下方の縁部に沿って、選択用アイコン群５３１０が表示され、いずれかをクリックすることで、表示すべき画面を選択することができる。また、その左上方には、予め割り当てられたファンクションキーを示す記号ｆ６、ｆ７の表示と、それについての説明とを含む機能説明部５３２０が表示される。画面５３００の上方側大部分に、特性図等を表示する領域５３３０が設定される。それぞれの画面において表示されるファンクションキーｆ６、ｆ７のうち、必要なキーを、キーボード５２１で操作することで、それぞれに割り当てられた特性図を選択的に表示することができる。また、本実施形態および後述する他の実施形態では、いずれも、ファンクションキーをアイコン表示している。その結果、マウス５２２により、ポインタ（図示せず）を該当ファンクションキー上に位置させて、クリックすることで、当該ファンクションを選択することもできる。
【００４７】
選択用アイコン群５３１０としては、例えば、図６では、［図Ｂ］、［図Ｃ］、［図Ｄ］、［ｖ設定］、［ｎ設定］、［対地］、［コイル］、［保存］、［診断］および［終了］の各アイコンが表示される。これらのアイコン群は、表示される画面によって、その一部が変更された状態で表示される。
【００４８】
また、図６では、ファンクションキーｆ６に、対地電圧表示＜対地絶縁最大放電電荷量−電圧特性＞が、ｆ７に、コイル分担電圧表示＜層間絶縁最大放電電荷量−電圧特性＞がそれぞれ割り当てられている。図６の現在の表示状態では、f７が選択され、特性図表示領域５３３０の左側領域５３３１に、図Ａ−１（コイル分担電圧分布）が、右側領域５３３２に、図Ａ−２（層間絶縁最大放電電荷量−電圧特性）がそれぞれ表示されている。ここで、図Ａ−１では、対象となるコイルを図形、例えば、正方形で表し、かつ、コイルの結線状態を、ＵＶＷの各相についてコイルを示す図形を対応する個数分を連結して、スター接続した状態を模式的に表示している。一方、Ａ−２では、その特性をグラフで示している。なお、コイルが多い場合、コイルブロック単位で同様に表記してもよい。
【００４９】
図７では、図６において、画面に表示されている［図Ｂ］のアイコン５３１１がクリックされた後の表示画面を示している。また、この画面では、ファンクションキーｆ６が選択されている。なお、図７では、左側領域５３３１に、図Ｂ−１が表示された状態で、画面内に、“クリックすると最大放電電荷量−電圧特性を表示”というメッセージが表示され、その部分が選択キーとなっている。同様の表示が、図８および図９にも表示されている。
【００５０】
図７では、特性図表示領域５３３０の左側領域に、図６と同様に、コイルを表す図形をＵＶＷの各相について対応する個数分を連結して、スター接続した状態を模式的に表示している。ただし、図７では、マウスポインタＭＰをいずれかのコイル上に位置させ、マウス５２２のボタンをクリックすることで、当該コイルが選択された状態を示している。すなわち、選択されたコイルを表す図形の表示態様を変更して、選択されていることを明示している。図７の場合には、便宜上、コイルを表す図形内に、斜線を付した状態で表現している。もちろん、他のコイルが選択された場合には、当該他のコイルを示す図形内に斜線が付される。一方、特性図表示領域５３３０の右側領域５３３２には、選択されたコイルについての図Ｂ−２（コイル最大放電電荷量−電圧特性）が表示される。なお、この表示の態様については、基本的に、図８、図９、図２７、図２９、図３０においても同様である。
【００５１】
図１０の処理において、まず、ｍ＝０、ｎ＝（Ｕ、Ｖ相コイル数）に設定し（ステップ１０１）、層間絶縁での部分放電と対地絶縁での部分放電とを識別する（ステップ１０２）。層間絶縁部分放電では、全ての電流プローブで検出される放電電流の極性が同じになるため、対地絶縁部分放電と区別できる。この検出は、前述した論理弁別器４において行った結果を取り込むことで行い得る。もちろん、論理弁別器を用いずに、各検出信号をコンピュータに取り込んで、論理弁別器のように、それらの極性について判定することで、識別することもできる。
【００５２】
層間絶縁部分放電が計測された場合には、本検索プログラムは、“電流プローブを多数設置し、各電流プローブの部分放電パルス検出時間の差から発生コイルを特定する”ことを推奨する画面を表示装置５３０に表示させて終了する（ステップ１０９ａ）。
【００５３】
対地絶縁部分放電が計測された場合には、この最大放電電荷量をトリガ電荷量とし、結合コンデンサと非部分放電計測相に設置した電流プローブの間隔を両側から１個づつ減らして該当コイルを発見する（ステップ１０５〜１０９ｃ）。
【００５４】
図１１の処理において、まず、ｍ＝０、ｎ＝（Ｕ、Ｖ相コイル数）に設定し（ステップ１１１）、層間絶縁と対地絶縁の部分放電を識別する（ステップ１１２）。層間絶縁部分放電では、全ての電流プローブで検出される放電電流の極性が同じになるため、対地絶縁部分放電と区別できる。層間絶縁部分放電が計測された場合には、本検索プログラムは、“電流プローブを多数設置し、各電流プローブの部分放電パルス検出時間の差から発生コイルを特定する”ことを推奨する画面を表示装置５３０に表示させて終了する（ステップ１１９）。
【００５５】
対地絶縁部分放電が計測された場合には、この最大放電電荷量をトリガ電荷量とし、結合コンデンサと非部分放電計測相に設置した電流プローブの間隔を２分割しながら電流プローブの間隔を減らし、該当コイルを発見する（ステップ１１３〜１１８）。
【００５６】
なお、図１０に示すフローチャートの処理および図１１に示すフローチャートの処理のいずれも、特に、高周波電圧を印加して、口出しに電圧を集中させる場合には、非部分放電計測相からは部分放電が発生しないため、結合コンデンサの反対側の電流プローブを中性点に接続されたコイルに設置すると、検索コイル数が少なくなり、より高速に対地絶縁部分放電発生コイルを発見できる。
【００５７】
層間絶縁部分放電電荷量の校正は、電池式などの浮動電位型電荷校正器を使用し、コイル間接続部絶縁層の静電容量を介して、１コイルに並列に校正電荷を注入して校正できる。ただし、この場合の注入電荷量は、電荷校正器の表示値をＱ0、電荷校正器の直列コンデンサの静電容量をＣ0、コイル間接続部絶縁層の静電容量をＣsとすると、注入電荷量Ｑは、口出しの第１コイルでは、
Ｑ＝Ｃs／（Ｃ0＋Ｃs）Ｑ0
となる。また、それ以外では、
Ｑ＝Ｃs／（２Ｃ0＋Ｃs）Ｑ0
となる。
【００５８】
一方、対地絶縁の部分放電電荷量の校正は、従来と同様に、回転電機の口出しに校正電荷を注入して校正しても良い。しかし、各コイル毎にコイル間接続部絶縁層の静電容量を介し、対地間で校正することが望ましい。また、層間絶縁、対地絶縁とも、図２のような回転電機の等価回路モデルにおいて、各コイルの層間絶縁あるいは対地絶縁に並列にそれぞれの静電容量に比し十分小さいコンデンサを直列に接続した直角波電源を接続して校正することもできる。すなわち、放電検出プローブに発生する電圧をＥＭＴＰなどを用いて計算し、直角波電圧と直角波電源に接続したコンデンサの静電容量の積から求められる放電電荷量と放電プローブ発生電圧の比から、電圧電荷校正係数を求め、校正しても良い。
【００５９】
なお、等価回路の回路定数については、対地絶縁静電容量Ｃgは、１コイルのコイル導体と対地絶縁表面に接地したアース電極間の静電容量をＬＣＲメータなどのインピーダンス計測器で測定することにより得られる。また、インダクタンスＬと層間絶縁静電容量Ｃrは、１コイルのコイル導体の始点と終点のインピーダンスを測定し、層間絶縁と対地絶縁のインダクタンスの共振周波数より低周波側のインピーダンスと周波数とからインダクタンスＬを求め、また、高周波側のインピーダンスから層間絶縁静電容量Ｃrを求めることができる。
【００６０】
各コイルの層間絶縁、対地絶縁の分担電圧と部分放電特性の関係は、コイル間接続部に表面電位センサを設置して、分担電圧を実測するか、ＥＭＴＰなどで回転電機の等価回路モデルに高周波電圧を印加したときの各部の分担電圧を計算し、層間絶縁、対地絶縁の印加電圧を求め、部分放電特性と比較することにより得ることができる。
【００６１】
第１の実施形態では、Ｕ−ＶＷ課電とし、Ｕ相の部分放電を計測したが、Ｖ−ＷＵ、Ｗ−ＵＶ課電にすることで、各相の絶縁診断ができる。なお、特に、非部分放電計測相の口出し（実施例１では、Ｖ，Ｗ相口出し）には、コイルのサージインピーダンス程度（数１００〜数ｋΩ）のインピーダンスを接続し、アースに接続すると部分放電電流の反射振動が抑えられるため望ましい。ただし、回転電機内での部分放電の減衰が大きく、反射の影響が小さければ、直接接地あるいは非接地のいずれでも問題ない。
【００６２】
また、本実施形態では、各相毎に試験したが、ＵＶ−Ｗ、ＶＷ−Ｕ，ＷＵ−Ｖ相課電あるいは、ＵＶＷ三相一括課電とし、複数相を一括して試験しても良い。
【００６３】
第１の実施形態の層間絶縁診断装置では、電源に200kHzの高周波電源を使用したが、種々の周波数の高周波電圧を印加することにより、回転機内の必要な場所に電圧を印加することができる。特に、口出し近傍コイルに電圧を集中させる場合には、電源電圧の周波数を、図２の１コイルのインダクタンスＬ、層間絶縁静電容量Ｃr、対地絶縁静電容量Ｃgを用いて、
【００６４】
【数１】
2007047184.tif 000006
【００６５】
とすることが望ましい。
【００６６】
また、回路定数が不明な場合には、１コイルのコイル導体の始点と終点の間のインピーダンスを測定し、インダクタンスＬと層間絶縁静電容量Ｃrの共振周波数を求めることができる。求めた共振周波数以上の高周波を印加して、ほぼ同じ結果が得られる。これは、一般の回転電機では、対地絶縁静電容量Ｃgは層間絶縁静電容量Ｃrに比し小さいことから、対地絶縁静電容量Ｃgを無視できすると、上式は、１コイルのインダクタンスＬと層間絶縁静電容量Ｃrの並列共振周波数となるためと考える。
【００６７】
図１２Ａおよび図１２Ｂには、共振周波数が100kHzの回転電機の印加電圧周波数を変化させたときの電位分布測定例を示す。図１２Ａは口出しからのコイル番号に対するコイル対地電圧の変化を示す。一方、図１２Ｂは口出しからのコイル番号に対するコイル分担電圧の変化を示す。全コイルの層間絶縁を一度に診断する場合には、前記の共振周波数より電源周波を低くし、電圧分布を平等分布にすれば良い。
【００６８】
高周波電圧を印加する場合、対地絶縁の静電容量を介して流れる充電電流が大きい為、大容量の電源が必要となる。しかしながら、大容量電源にて試験することは、省エネルギーの点からも好ましくない。このため、本発明の層間絶縁診断装置の高周波電源では、図１３Ａのように、回転電機（高周波では容量性負荷）および結合コンデンサ３０に対し並列に誘導性負荷３１を接続して、並列共振させることにより、電源の電流容量を低減することができる。または、図１３Ｂのように、直列に誘導性負荷３１を接続して、直列共振させることにより、電源の出力電圧を低減することもできる。また、連続正弦波ではなく、図１４Ａに示すような、間欠正弦波にすることにより、また、図１４Ｂに示すように、時間と共に減衰する波形とすることにより、電源容量を低減することもできる。さらに、電源には、高周波電源の他に、インパルス、三角波、矩形波等のサージ電源、また、インバータ電源が使用できる。特に、インバータ電源を使用できるため、本発明の層間絶縁診断装置を回転電機に設置し、インバータ駆動中にも層間絶縁診断ができる。
【００６９】
第１の実施形態において、層間絶縁診断装置ではサージ電源を使用できる。このため、従来の層間短絡試験をも行うことができる。また、層間絶縁の耐圧試験の後に、層間短絡したコイルがないかを調べることができる。ただ、従来の層間短絡診断装置では、層間短絡コイルの存在は検出できても、層間短絡コイルを特定することは困難であった。しかし、第１の実施形態に係る層間絶縁診断装置では、前述したように、各コイルに設置される表面電位センサと放電電流センサにて、各コイルの電圧−電流特性を測定することにより、層間短絡コイルを特定することができる。
【００７０】
図１５に、層間短絡コイルと健全コイルの電圧、電流特性を示す。健全コイル２０１では、コイルを流れる電流を増加するとコイル分担電圧もこれに比例して増加する。一方、層間短絡コイル２００では、発生電圧は健全コイルに比し小さく、また、電流が増加しても電圧はほぼ０である。これは、健全コイル２０１では、図１６Ｂに示すように、自己インダクタンスによりインピーダンスが発生する。一方、層間短絡コイル２００では、図１６Ａに示すように、短絡部に形成された閉回路に入力電流を打ち消す向きに（巻数−１）倍の短絡電流が流れ、二次側短絡の変圧器と等価な状態となり、インピーダンスが著しく低下する。このため、層間短絡コイル２００では、発生電圧が健全コイルに比し小さくなり、電流が増加しても電圧が増加しないことになる。
【００７１】
第１の実施形態では、結合コンデンサ６には、100pFのコンデンサを使用している。しかし、容量の大きいコンデンサを使用した方が、層間絶縁、対地絶縁とも部分放電検出感度が良くなるため望ましい。なお、特に、電源線の浮遊容量が、結合コンデンサの静電容量と同程度であるならば、結合コンデンサを取り除いても部分放電検出感度は低下しない。このため、電源線の浮遊容量が利用できる場合には装置寸法を小型化できる。このように、結合コンデンサを使用しない場合、あるいは、結合コンデンサの接地線に電流プローブを設置することが困難な場合には、電流プローブは電源線に設置する。
【００７２】
本実施形態では、対地絶縁に対し並列に電源線の浮遊容量が接続されている。これに、さらに並列にコンデンサを入れることにより、層間絶縁の部分放電検出感度を選択的に向上させることができる。このため、層間絶縁を選択的に診断したい場合には、並列コンデンサを入れることが望ましい。
【００７３】
第１の実施形態で用いる放電検出用の電流プローブには、ホール素子型、ＣＴ型が使用できる。また、ロゴウスキコイル、高周波ＣＴなども使用できる。いずれも、周波数帯域が１ＭＨｚ以上、望ましくは１０ＭＨｚ以上である高周波特性に優れたものが望ましい。
【００７４】
本実施形態では、高域通過フィルタを使用したが、電源周波数が一定の場合には、ノッチ、バンドリジェクション、バンドエリミネーションフィルタなどと呼ばれる周波数遮断フィルタを使用しても良い。また、高域通過フィルタの遮断周波数は、減衰傾度が鋭いフィルタを利用した場合、遮断周波数を低くでき部分放電信号の周波数成分をより多く通過させることができるため、特に、減衰傾度が急峻な２４ｄＢ／ｏｃｔ以上の減衰傾度のアナログあるいはデジタルフィルタを使用することが望ましい。なお、フィルタ、計測器などのバックグラウンドノイズは、√（帯域幅）に比例して増加するため、フィルタ、計測器の周波数帯域は、電流プローブの帯域もしくはそれ以下に制限することが望ましい。
【００７５】
第１の実施形態では、層間絶縁での部分放電と対地絶縁での部分放電との判別に、論理弁別器を使用した。この他に、加算器あるいは減算器などのアナログ回路を使用することもできる。すなわち、表１では、層間絶縁の部分放電は電流プローブ１と２では同極性、対地絶縁の部分放電は逆極性であることから、加算器では層間絶縁の部分放電信号を、減算器では対地絶縁の部分放電信号を放電検出器５に出力することができる。なお、特に、層間絶縁の部分放電を検出する場合には、結合コンデンサの低圧側に設置した電流プローブとその他電流プローブでは、電源周波数成分が逆極性であるのに対し、部分放電信号は同極性であるため、フィルタの前に加算器を挿入することにより電源周波数成分を相殺できる。したがって、フィルタの遮断周波数を低くでき、信号成分をより多く通過させることができる。加算器、減算器としては、オペアンプなどの半導体回路の他に、巻線を分割したトランスを用いることができる。
【００７６】
放電検出器５としては、電流プローブの帯域以上の帯域を持つ高速アナログ／デジタルオシロスコープ、高速Ａ／Ｄ変換器、インパルス電圧計等を使用することができる。特に、デジタルオシロスコープやＡ／Ｄ変換器を使用する場合、前段の論理弁別器、フィルタ回路を、デジタルオシロスコープやＡ／Ｄ変換器に内蔵された極性判別、論理ゲート、デジタルフィルタ機能などで代用することもできる。あるいは、デジタルオシロスコープ、または、Ａ／Ｄ変換器で測定したデータを、コンピュータに移し、コンピュータ上でプログラムにより、論理弁別、フィルタリングしてもよい。すなわち、放電検出器５を、例えば、図３７に示す情報処理システム５００により構成してもよい。
【００７７】
以上の実施形態の適用対象として誘導電動機を用いたが、同期機など、その他の回転電機の層間絶縁診断にも適用できる。
【００７８】
次に、本発明の第２の実施形態について説明する。図１７に、第２の実施形態に係る層間絶縁診断装置を示す。本実施形態では、前述した第１の実施形態におけるコイル間接続部に、電流プローブ２を設置する代わりに、コイル間接続部絶縁層表面に電極４０を設置し、該電極と対地間に対地電圧測定用コンデンサ４１を挿入し、前記コイル間接続部絶縁層の静電容量４２と対地電圧測定用コンデンサ４１により、コイル間接続部導体と対地間とを容量性結合し、コイル間接続部導体からアースへ流れる放電電流を電流プローブ２で検出する。ただし、第２の実施形態における電流プローブの極性では、電源側からアースに流れる電流の向きを正とする。なお、特に、中性点を接地した回転電機では、コイル間接続部と対地とを容量性結合せずとも、中性点接地線に電流プローブを設置することができる。また、非部分放電計測相の口出しについても、口出しと対地とを接続する接地線に電流プローブを設置することができる。
【００７９】
本実施形態においても、診断支援装置４００と、結合コンデンサ６と、試験用電源装置７とが用いられる。この診断支援装置４００は、多チャンネル高域通過フィルタ３と、論理弁別器４と、放電計測器５とを有する。また、データの収集、処理を行って、診断を行わせることは、前述した情報処理システムを用いることで、実現することができる。
【００８０】
以下に、本実施形態の層間絶縁診断装置の作用を説明する。図１８に、誘導電動機コイルのはしご型等価回路モデルと、層間絶縁および対地絶縁の部分放電電流経路を示す。図１８に示すモデルでは、図２に示すモデルと同様に、特に、ＣrとＬの並列回路を１ブロックと考え、放電電流経路を示している。本実施形態でも、第１の実施形態と同様に、電流プローブ１、２を単独に使用しただけでは層間絶縁と対地絶縁の部分放電電流を判別できない。しかしながら、第２の実施形態では、表４のように、層間絶縁部分放電では電流プローブ１，２の極性は逆極性、対地絶縁部分放電では同極性となる。
【００８１】
【表４】
2007047184.tif 000007
【００８２】
したがって、実施例１と同様に電流プローブ１，２で検出される部分放電電流の極性を論理弁別器４により判別することにより、層間絶縁と対地絶縁の部分放電を区別することができる。ただし、本実施形態では、第１の実施形態とは、層間絶縁と対地絶縁の放電電流極性が逆になっているため、表２の真理値表および図４の論理弁別回路では、層間絶縁と対地絶縁の判別基準は逆になる。また、実施例１で述べた加算器、減算器の使用も逆になる。
【００８３】
第２の実施形態では、部分放電電流の極性から層間絶縁部分放電発生コイルを特定し、あるいは、特定コイルから発生する部分放電を計測できる。これは、第２の実施形態では、表５のように、層間絶縁部分放電発生コイルの両端に設置した電流プローブの放電電流極性が逆極性となるためである。これは、第１の実施形態で部分放電電流の極性から対地絶縁部分放電発生コイルを検出できたことに対応する。したがって、第２実施形態でも複数の電流プローブの放電電流極性パターンを調べるか、試験ブロック内のコイル数を減らしながら走査し、極性が逆転しているコイルを見つけることにより、層間絶縁部分放電発生コイルを特定できる。
【００８４】
【表５】
2007047184.tif 000008
【００８５】
なお、部分放電発生コイルを特定する検索アルゴリズムとしては、図１０および図１１に示す第１の実施形態の検索アルゴリズム、すなわち、図１０、図１１に示すフローチャートにおいて、対地と層間を入れ替えることで使用できる。
【００８６】
以上のように、第２の実施形態では、層間絶縁部分放電発生コイルを特定できるため、層間絶縁の劣化が進んだコイルを検出し、除去することができる。なお、第２の実施形態では、対地絶縁部分放電発生コイルは、対地絶縁部分放電が発生してから、各電流プローブに放電電流が到達する時間の遅れを計測することにより特定できる。
【００８７】
第２の実施形態では、対地電圧測定用コンデンサ４１を設けているため、第１の実施形態のように、新たに表面電位センサを設けなくても、該コンデンサ４１の静電容量とコイル間接続部絶縁層の静電容量４２との容量分圧により、コイル対地電圧およびコイル分担電圧を測定できる。また、特に対地電圧測定用コンデンサ４１を接続せず、コイル間接続部絶縁層の表面に設けた電極４０を直接アースに接続し、該接続線に電流プローブ２を設置しても、層間絶縁と対地絶縁の区別ができる。この場合、コイル間接続部絶縁層の表面に設けた電極４０において端部放電が発生するが、電界緩和塗料を電極端に塗布するか、電界緩和電極配置にすることにより、端部放電を抑制できる。
【００８８】
また、２つ以上のコイル間接続部について、コイル間接続部と対地との容量性結合による放電電流検出を行う場合には、端部放電を層間絶縁、対地絶縁の部分放電と区別できる。これは、表６のように、端部放電が発生するコイル間接続部と、その両側に位置するコイル間接続部では、電流プローブの放電電流の極性が逆になるためである。したがって、両側に位置するコイル間接続部に設置した電流プローブと部分放電電流の極性が異なるコイル間接続部を見つけることにより、端部放電発生源を特定し、電界緩和処理を施すことができる。なお、これは前述のように複数設置した電流プローブの放電電流極性パターンから識別するか、あるいは試験ブロック内のコイル数を減らしながら走査することにより実施できる。
【００８９】
【表６】
2007047184.tif 000009
【００９０】
図１９に、図１０に示す手順を層間絶縁部分放電発生コイルの検索方法として用いた際に、端部放電発生コイルの識別シーケンスを加えたフローチャートを示す。最初に試験ブロックを大きくとった場合には、端部放電は対地絶縁部分放電と同じとみなされるため、層間絶縁部分放電と区別できる。また、対地絶縁部分放電では全ての電流プローブの極性が一致するため、端部放電と区別できる。ステップ１９０１〜１９０８までの手順は、図１０に示す手順と共通である。ただし、プローブの設置において相違するため、検索される結果が、第ｍコイル層間絶縁部分放電（ステップ１９０９）であり、また、第ｎ＋１コイル層間絶縁部分放電（ステップ１９１０）である点において相違する。一方、ステップ１９１１〜ステップ１９２０は、端部放電発生コイルの識別シーケンスである。ステップ１９１１からステップ１９１５までは、ステップ１９０３からステップ１９０７と同様の手順で処理がなされる。そして、ステップ１９１５において、放電電流極性が電流プローブ＃ｍとコイル＃ｎとで等しい場合、そのコイル＃ｎが（ｎ＝ｍ＋１）であるかを判断し（ステップ１９１６）、（ｎ＝ｍ＋１）である場合、対地絶縁部分放電と判断する（ステップ１９１７）。一方、そのコイル＃ｎが（ｎ＝ｍ＋１）ではない場合、ステップ１９１４に戻る。
【００９１】
図１１に相当する検索方法でも、対地絶縁と層間絶縁部分放電の識別後、対地絶縁部分放電と端部放電の識別シーケンスを加えることにより、層間絶縁、対地絶縁部分放電、端部放電を区別できる。
【００９２】
第２の実施形態の放電電流センサには、前述した第１の実施形態と同様に、ホール素子型、ＣＴ型電流プローブ、ロゴウスキコイル、高周波ＣＴが使用できる。その他に、抵抗を使用することができる。また、放電電流を測定するのではなく放電電荷量を測定する場合、放電電荷センサには、抵抗とコンデンサから形成されるＣＲ検出回路や、抵抗、コンデンサ、インダクタンスから形成されるＬＣＲ検出器が使用できる。なお、ＬＣＲ検出器により部分放電を同調検出する場合、論理弁別器と放電検出器の間にさらに同調増幅器、検波回路を設けることにより、より高精度に部分放電を計測できる。
【００９３】
一方、第２の実施形態または第１の実施形態のように、コイルの対地電圧を測定しながら部分放電を検出する場合、図２０に示すように、一般に、対地絶縁部分放電は、対地電圧の位相が−９０°〜９０°では正極性放電、９０°〜２７０°までは負極性放電となる。ところで、第１の実施形態および第２の実施形態のように、第１コイルで放電が発生する場合、電流プローブ２では、層間絶縁と対地絶縁の放電電流は逆極性となる。このため、−９０°〜９０°では負極性の部分放電パルスのみを通過させ、９０°から２７０°では正極性の部分放電パルスを通過させる論理弁別器を使用すれば、層間絶縁の部分放電を検出ができる。また、論理弁別器の極性ゲートを逆にすれば、対地絶縁の部分放電を検出できる。このため、少なくとも結合コンデンサの接地線に設けた電流プローブ１を取り除くことができる。同時に結合コンデンサも除去でき、装置を小型化できる。
【００９４】
表７に、対地電圧と層間絶縁、対地電圧部分放電の放電極性および電流プローブ２で検出される放電電流の極性を示す。電流プローブ２では層間絶縁の正極性放電では正極性、負極性放電では負極性の放電電流が検出される。一方、対地絶縁部分放電電流は層間絶縁の部分放電電流と逆極性となっている。したがって、−９０°〜９０°を“０”、９０°〜２７０°を“１”、電流プローブ検出電流の正極性を“１”、負極性を“０”とすると、表８に示す真理値表のように、層間絶縁部分放電は、Exclusive OR、対地絶縁部分放電はその逆により識別できる。ただし、表８の出力では真ならば“１”とした。
【００９５】
【表７】
2007047184.tif 000010
【００９６】
【表８】
2007047184.tif 000011
【００９７】
図２１に、対地電圧の位相と電流プローブ２の放電電流極性から、層間絶縁と対地絶縁の部分放電を区別する論理弁別器の回路例を示す。本論理弁別器では、電流プローブ２の放電電流信号と対地電圧信号とをコンパレータ２１０により接地電位と比較し、正極性、負極性それぞれ５Ｖ、０Ｖの極性信号に変換する。対地電圧の極性信号は、遅延回路２１１に入力され、π／２位相を遅らせる。この遅延回路２１１としては、例えば、単安定マルチバイブレータを利用できる。遅延回路２１１の出力は、電流プローブ２の極性信号とともにExclusive OR回路２１２に入力される。Exclusive OR回路２１２の出力は、層間絶縁部分放電を検出する場合には、スイッチ２１３によりＨレベルでONするスイッチ２１４のトリガとして入力される。一方、対地絶縁部分放電を計測する場合には、Exclusive OR回路２１２の出力は、反転回路２１５に入力された後、スイッチ２１４のトリガとして入力される。図２０では、対地電圧波形と部分放電パルス列から層間絶縁部分放電を抽出した例を示した。
【００９８】
図２２に、第３の実施形態に係る層間絶縁診断装置を示す。第３の実施形態の層間絶縁診断装置では、第１の実施形態のコイル間接続部の電流プローブ２に相当する電流プローブ６１を、回転電機コイルエンド部において、コイル間接続部と反対側のコイルエンド部６０に設置している。以下、第３の実施形態で、層間絶縁と対地絶縁との判別作用について説明する。
【００９９】
図２３には、１コイルの等価回路モデルと層間絶縁、対地絶縁の部分放電電流を示す。回転電機の１コイルは複数のターンから形成され、巻線ターン間には層間絶縁の静電容量ｃrが、各巻線と対地間には対地絶縁の静電容量ｃgが存在する。このため、図２３の等価回路が成立する。一方、コイルエンド部に設置した電流プローブ６１は、１コイルの全てのターン導体に鎖交するため、各ターン導体に設置されていると考えることができる。このようなコイルに部分放電が発生した場合、図２３の経路に部分放電電流が流れる。すなわち、高周波領域ではコイルのインダクタンスに比し、層間絶縁の静電容量のインピーダンスが小さいため、高周波の部分放電電流は、層間絶縁の静電容量を介して流れる。一方、最終ターンでは、対地絶縁の静電容量は小さいため、コイルのインダクタンスにも部分放電電流が流れる。実際、実施例１では、ｃr〜１０００ｐＦ、Ｌ〜０．１ｍＨ、ｃg〜１００ｐＦであるので、部分放電電流の検出周波数領域を１ＭＨｚ以上とした場合、上記の作用は成立する。一方、低周波の部分放電電流はコイルのインダクタンスを流れて伝播するが、高域通過フィルタ３にて除去されるので、層間絶縁と対地絶縁の部分放電の判別には影響を与えない。この結果、電流プローブ１と６１で検知される部分放電電流は表９ようになり、第１の実施形態の場合と同様に層間絶縁と対地絶縁の部分放電を判別することができる。
【０１００】
【表９】
2007047184.tif 000012
【０１０１】
ただし、電流プローブの極性は、回転電機外部では試験相の口出しに向かう方向に流れる電流を正、回転電機内部では試験相の口出しから他相の口出しに流れる電流の向きを正とした。なお、第１の実施形態の作用で述べたように、本発明では、電流プローブに挟まれたコイルあるいは複数コイルからなるブロックの層間絶縁、対地絶縁の部分放電を判別するため、第３の実施形態では、第１の実施形態とコイル半分だけ検出領域がずれる。また、第３の実施形態では、第１の実施形態と同様に、部分放電電流の極性から対地絶縁部分放電発生コイルを、電流到達時間の差から層間絶縁部分放電発生コイルを特定できる。
【０１０２】
第３の実施形態の層間絶縁診断装置でも、第１の実施形態と同様に層間短絡試験を行い、層間短絡コイルを特定することもできる。
【０１０３】
図２４に、層間短絡コイルと健全コイルの電流特性を示す。健全コイル２０１では、コイルに入力電流に比例して電流プローブの電流も増加する。また、この傾きはコイルの巻数とほぼ一致する。一方、層間短絡コイル２００では、電流が増加しても電流はほぼ０である。これは、図２５Ｂに示すように、健全コイル２０１では、コイルに鎖交させた電流プローブにはｎ×Ｉの電流が検出される。これに対して、層間短絡コイル２００では、図２５Ａに示すように、残された健全巻線部を流れる電流（ｎ−１）×Ｉと、入力電流が作る磁界を打ち消す向きに流れる短絡電流（ｎ−１）Ｉとが逆方向に電流プローブを鎖交し、電流プローブ検出電流は０となるためである。
【０１０４】
次に、以上に述べた層間絶縁診断装置を使用して、回転電機の絶縁劣化診断を行うこと、および、必要に応じ、少なくともコイル更新をする例について説明する。図２６、図２７には、第１の実施形態の層間絶縁診断装置を設置し、誘導電動機の層間絶縁、対地絶縁を診断する例を示す。本実施形態では、ＵＶＷ三相一括課電する。また、電流プローブ１、２を、各相の電源線およびコイル間接続部にそれぞれ設置した。各電流プローブ１、２の出力は、それぞれインタフェース装置５４０に入力される。インタフェース装置５４０では、多チャンネル高速Ａ／Ｄ変換器５４１により、アナログ信号をディジタル信号に変換し、さらに、内蔵されたデジタルフィルタ５４２により電源周波数成分を除去した後、コンピュータ５１０に送信する。
【０１０５】
送信されたデータは、図６〜図９に示すように、部分放電測定結果画面に表示され、ファンクションキーを操作することによりコイル毎の層間絶縁、対地絶縁部分放電特性を調べることができる。さらに、［診断］アイコン５３１２を指示することにより、コイルを更新しなければならない放電電荷量、例えば、対地絶縁に関しては、電力中央研究所報告「発電機巻線絶縁劣化判定基準」Ｎｏ．６７００１（１９６７−４）と、層間絶縁に関しては、基本的には運転時の分担電圧では無部分放電であることと、各コイルの対地絶縁、層間絶縁部分放電特性が比較される。対地絶縁では運転時の対地電圧において基準を上回る部分放電発生コイルが、層間絶縁では部分放電開始／消滅電圧が運転時の分担電圧に比し低いコイルが発見された場合には、コンピュータ５１０は、図２７のように、表示装置５３０の表示画面５３００に、警告用ウインドウ５３４０を表示し、ウインドウ
５３４０内で、ユーザに警告するメッセージ５３４１を表示する。
【０１０６】
この場合、特性図表示領域５３３０に、アイコン群５３１０により選択された特性図、例えば、図２７の例では、左側領域５３３１に、図Ｂ−１（層間絶縁最大放電電荷量分布）を表す図が表示される。ここで、同図は、コイルを図形、例えば、正方形で表し、これをＵＶＷの各相について対応する正方形を個数分を連結して、スター接続した状態を模式的に表示している。そして、絶縁状態に問題があるコイルを表す図形の表示態様を変更して表示している。具体的には、例えば、コイルを表す図形の枠線を太くする、色を変える、点滅させる等の強調表示を行う。さらに、各図形について、アイコンと同様に、その上にポインタＭＰをおいて、マウス５２２のボタンをクリックすることで、当該図形で表されるコイルの選択を受け付ける。それに応じて、特性図表示領域５３３０の右側領域５３３２に、選択されたコイルについての特性、図２７の例では、図Ｂ−２（コイル最大放電電荷量−電圧特性）を示す図を表示する。
【０１０７】
なお、運転時の各コイルの対地電圧、層間絶縁分担電圧は、あらかじめ測定あるいはＥＭＴＰなどの回路計算プログラムで計算された値がコンピュータ内に保存されている。誘導電動機のユーザが、不良コイルが発見された場合には、［連絡］アイコン５３１３を指示すると、コンピュータ５１０は、ネットワークを介して接続されているメーカーに連絡する。なお、ネットワークがない環境では、連絡先に表示された電話番号に電話する。これにより、コイル更新か、または、誘導電動機自体の更新を行う。
【０１０８】
以上のようにすることにより、絶縁破壊するまで誘導電動機を使用することなく、適切な運用が行える。特に、本発明の層間絶縁診断装置を使用した絶縁診断では、従来、発見が困難であった層間絶縁に不具合を抱えたコイルも発見できる。このため、従来に比し、より信頼性の高い誘導電動機を提供できる。
【０１０９】
図２８には、インバータ電源を利用し、誘導電動機の層間絶縁、対地絶縁の診断をする例を示す。本実施例では、誘導電動機２２３は交流電源２２０に接続されたインバータ電源２２１と電力ケーブル２２２により接続されている。本実施例では、直接、誘導電動機の運転に使用するインバータ電源を利用するため、特に前述の運転時における各コイルの対地電圧、層間絶縁分担電圧を測定あるいは計算する必要がない。このため、短時間で絶縁診断が行える。また、インバータ電源でＵＶＷに三相交流を印加した場合、ＵＶＷ各相の各コイルに設置した電流プローブの検出電流を、口出しからの電流プローブ設置位置番号を同じにして合計すると、電源周波数成分は打ち消しあうため部分放電をより明白に検出することができる。
【０１１０】
さらに、本発明の層間絶縁診断装置を設置した回転電機では、誘導電動機をインバータ電源で運転している間においても、部分放電を計測できるため、常時、絶縁層の劣化状況を把握することができる。
【０１１１】
図２９には、対地絶縁の最大放電電荷量が急激に増えたため、運転を停止した誘導電動機の例を示す。また、図３０には振動かあるいは熱劣化により層間絶縁に大きなボイドが発生し、突如、部分放電が検出された例を示す。なお、図２９および図３０での、画面の表示の仕方は、前述した図７、図８、図９、図２７等と同様である。
【０１１２】
このように、本発明の層間絶縁診断装置により、従来では定期診断と定期診断の間の空白期間に稀に運転状況等により急速に劣化し絶縁破壊の危険があった回転電機も、絶縁破壊前に運転を停止しコイル更新あるいは回転電機本体の更新をすることができる。以上のように、本発明の層間絶縁診断装置により、回転電機層間絶縁の劣化診断を行い、従来に比し信頼性の高い回転電機を提供することが実現できる。
【０１１３】
以上の絶縁診断システムを、まとめると図３１で表すことができる。すなわち、本絶縁診断システムでは、回転電機１１８および電源の種類、電圧印加相などを切り替え可能な電源１４１に接続された層間／対地絶縁部分放電計測部１１２と、これを制御するコンピュータ５１０とが、通信線１１１とインタフェース装置５４０とを介して接続されている。コマンド、データ等を送受信する通信線１１１としては、例えば、ＧＰ−ＩＢ，ＵＳＢ，ＲＳ−２３２Ｃ、通信ネットワーク等が用いられる。図３１の装置で用いられるコンピュータ５１０としては、例えば、図３７に示すハードウエアシステム構成を有するコンピュータを用いることができる。プログラムを実行することで実現されるコンピュータ５１０の内部機能としては、データ処理を行う処理部５１１０と、データの記憶処理を行う記憶部５１２０と、表示および入出力制御を行う表示および入出出力部５１３０と、計測器の制御を行う計測器制御部５１４０とを有する。
【０１１４】
また、記憶部５１２０により管理される外部記憶装置５１４には、診断において用いられるデータが格納される。図３３に、その一例を示す。記憶装置５１４が有する記憶領域５１４０には、例えば、回転電機層間絶縁診断装置内のデータを含むデータファイル５１４１と、ユーザ名、納入先、製品型式、仕様、製造番号、製造時期、納期等を含むデータファイル５１４２と、図面データを含む図面データファイル５１４３と、運転時の回転電機電圧分布データを有するデータファイル５１４４と、対地／層間絶縁部分放電特性データを有するデータファイル５１４５と、対地／層間絶縁部分放電基準データを有するデータファイル５１４６とが格納される。
【０１１５】
処理部５１１０では、例えば、オペレータの入力指令により、図３２の絶縁診断フローチャートに沿って絶縁診断が行われる。すなわち、層間絶縁、対地絶縁部分放電計測の結果を用いて、部分放電開始電圧Ｖｉと、部分放電消滅電圧Ｖｅと、最大放電電荷量Ｑｍａａｘとを求める（ステップ２００１）。次に、Ｑｍａｘが対地絶縁基準放電電荷量以上であるかを判定する（ステップ２００２）。Ｑｍａｘが対地絶縁基準放電電荷量以上である場合には、「コイルまたは回転電機を更新すべき」と判定する。そして、その旨の警告メッセージ５３４１を、表示装置５３０の表示画面５３００の警告ウインドウ５３４０内に表示する（ステップ２００４）。一方、Ｑｍａｘが対地絶縁基準放電電荷量未満である場合には、Ｖｉ、Ｖｅが、それぞれ層間絶縁分担電圧以下であるかを判定する。Ｖｉ、Ｖｅが、それぞれ層間絶縁分担電圧以下である場合には、ステップ２００４に進み、前述した塗同様の処理を行う。相でない場合には、検査合格と判定する（ステップ２００５）。
【０１１６】
次に、商用周波電源あるいは旧型のインバータ電源向けに製作された中古回転電機を新規インバータで駆動できるかどうか判別、改善する例を、図３４および図３５により説明する。本例では、本発明の診断装置だけでなく、回転電機ユーザ９００、絶縁診断業者９０１、コイル製作、更新業者９０２、インバータメーカ９２０が関わるため、これを用いて説明する。ただし、これらの当事者が互いを兼ねている場合もある。ここで行われる当事者間の行為は、各種の情報の交換として、それぞれの当事者のコンピュータシステムを通信回線を介して接続し、情報の送受信により行うことができる。当事者間の情報の授受に応じて、それぞれのコンピュータシステムにおいて、進捗管理が行われる。
【０１１７】
本例では、ユーザ９００は、インバータ製作業者９２０に新規インバータの導入を依頼する。また、ユーザ９００は、新規インバータの導入に際し、絶縁診断業者９０１に新規インバータで中古誘導電動機を駆動できるかどうかの判別を依頼する。絶縁診断業者９０１は、本発明の層間絶縁診断装置を高周波電圧を電源にして使用する場合には、測定、または、ＥＭＴＰなど回路計算プログラムにより求めた新規インバータ駆動時の層間絶縁分担電圧を入力し、層間絶縁の部分放電特性を計測する。ただし、新規インバータと同様な波形、例えば波高値、波頭長が同じサージ電圧を出力できる電源を使用する場合には、この操作を省略できる。
【０１１８】
診断時に層間絶縁診断装置が、図２７のようなコイルあるいは回転電機の更新を推奨する画面、あるいはインバータ波形の改善を推奨する画面を表示した場合には、絶縁診断業者９０１は、本結果をユーザ９００に報告する。必要であれば、部分放電開始／消滅電圧も報告する。また、サージ電源を使用する場合には、部分放電開始／消滅電圧、波頭長も報告する。この結果、ユーザ９００は、コイル製作、更新業者９０２にコイル製作、更新を依頼するか、または、インバータメーカ９２０に、インバータ波形の改善を依頼する。コイル政策、更新業者９２０が依頼を受けた場合には、コイルを更新した後、再度診断を行い、警告画面が表示されないことを確認する。インバータメーカが依頼を受けた場合には、少なくとも、例えば、図３６に示すような、波頭長１３０を長くするか、スイッチング電圧１３１を低減するか、または、スイッチングサージ電圧１３２を低減することにより、改善後の波形では層間絶縁分担電圧が、層間絶縁部分放電開始／消滅電圧に比し低くなるようにする。以上の結果、商用周波電源あるいは旧型のインバータ電源向けに製作された中古回転電機を新規インバータで安全に運転することができる。
【０１１９】
なお、部分放電の検出と、検出したデータによる診断とを、それぞれ別の装置によって行うようにしてもよい。例えば、部分放電の検出を行うシステムは、現場に持ち込める形態可能なシステムとし、診断は、別のコンピュータ、例えば、ホストコンピュータで行うようにする。診断は、例えば、部分放電を検出するシステムによりデータを蓄積して、ホストコンピュータにおいてオフラインで診断するようにすることができる。また、部分放電の検出を行うシステム徒歩ストコンピュータとを通信回線で接続し、オンラインで診断を行うようにすることができる。
【０１２０】
このように、以上に説明した各実施形態によれば、従来に比して、高い信頼度で回転電機の絶縁診断を行うことができる。その結果、必要に応じてコイルあるいはモータを更新することが必要である旨の警告メッセージを提示することが可能となる。特に、回転電機に本発明の層間絶縁診断装置を設置し、運転中にも部分放電を計測し、絶縁劣化診断することにより、より信頼性の高い回転電機を提供できる。
【０１２１】
また、前述した診断技術を用いることで、層間絶縁、対地絶縁部分放電特性データとコイル巻替え基準とを比較し、部分放電電荷量あるいは部分放電開始／消滅電圧が基準を満足しない場合に、コイルあるいは回転電機の更新、インバータ波形の改善が必要であることを通知することを実現できる。さらに、前述した診断技術を用いて、商用周波電源あるいは旧型のインバータ電源向けに製作された中古回転電機を新規インバータで駆動できるかどうか判別することができる。その結果、回転電機のコイルの更新等の改善、インバータの波形改善を行うことで、より安全に運転できる用にすることができる。
【０１２２】
また、上記のシステムは、層間絶縁部分放電特性データとインバータサージ印加時の層間絶縁分担電圧を比較し、少なくとも分担電圧が部分放電開始あるいは消滅電圧に比し高いか、あるいは部分放電特性と残存破壊電圧の関係により層間絶縁が今後の運転に耐えられない程度まで劣化していると判断された場合に、コイルあるいは回転電機の更新、インバータ波形の改善が必要であることを通知するシステムにより実現できる。
【０１２３】
このように、本発明の診断装置により、層間絶縁の部分放電特性を計測し、回転電機層間絶縁の劣化診断を行うことができ、それにより信頼性の高い回転電機を提供することが可能となる。また、本発明の診断装置により、商用周波電源あるいは旧型のインバータ電源向けに製作された中古回転電機を、新規インバータで駆動できるかどうか判別することができる。そして、必要であれば、改善を行うことを可能する。その結果、安全に駆動できる信頼性の高い回転電機、および、インバータ電源を実現することができる。
【図面の簡単な説明】
【０１２４】
【図１】図１は、本発明の第１の実施形態に係る層間絶縁診断装置の構成を示すブロック図。
【図２】図２は、誘導電動機コイルのはしご型等価回路モデルと、第１の実施形態の層間絶縁診断装置における層間絶縁および対地絶縁の部分放電電流経路を示す回路図。
【図３】図３は、電流プローブで検出される部分放電電流波形について、論理弁別回路で弁別する動作を示す説明図。
【図４】図４は、本発明において用いることができる論理弁別器の構成の一例を示すブロック図。
【図５】図５Ａは、層間絶縁部分放電電流の到達時間の遅れに伴う電流パルス立ち上がりの遅れを示すグラフ、図５Ｂは、コイルと電流プローブとの位置関係を示す説明図。
【図６】図６は、回転電機コイル電圧分布、最大放電電荷量−電圧特性を示す表示画面の一例を示す説明図。
【図７】図７は、回転電機コイル最大放電電荷量分布、最大放電電荷量−電圧特性を示す表示画面の一例を示す説明図。
【図８】図８は、回転電機コイル最大放電電荷量分布、放電発生頻度−放電電荷量特性表示画面の一例を示す説明図。
【図９】図９は、回転電機コイル放電発生頻度分布、放電発生頻度−電圧特性表示画面の一例を示す説明図。
【図１０】図１０は、電流プローブ位置を部分放電計測相の口出しと非部分放電計測相の口出しから１つづつコイルを減らしながら変化させることにより部分放電発生コイルを特定するフローチャート。
【図１１】図１１は、電流プローブ位置を部分放電計測相の口出しと非部分放電計測相の口出しから２分割しながら変化させることにより部分放電発生コイルを特定するフローチャート。
【図１２】図１２Ａは口出しからのコイル番号に対するコイル対地電圧の変化を電源周波数を変化させた場合について示すグラフ、図１２Ｂは口出しからのコイル番号に対するコイル分担電圧の変化を電源周波数を変化させた場合について示すグラフ。
【図１３】図１３Ａは、回転電機および結合コンデンサに対し並列に誘導性負荷を入れて、並列共振させることにより、電源の電流容量を低減する回路構成を示す回路図、図１３Ｂは、直列に誘導性負荷を入れて、直列共振させることにより、電源の出力電圧を低減する回路構成を示す回路図。
【図１４】図１４Ａは、間欠正弦波パルスによる電源容量低減方法を示す波形図、図１４Ｂは、減衰波形による電源容量低減方法を示す波形図。
【図１５】図１５は、層間短絡コイルと健全コイルの電流プローブ検出電流とコイル分担電圧の関係を示すグラフ。
【図１６】図１６Ａは層間短絡コイルの等価回路を示す説明図、図１６Ｂは健全コイルの等価回路を示す説明図。
【図１７】図１７は、本発明の第２の実施形態に係る層間絶縁診断装置の構成を示すブロック図。
【図１８】図１８は、誘導電動機コイルのはしご型等価回路モデルと、第２の実施形態の診断装置における層間絶縁および対地絶縁の部分放電電流経路を示す回路図。
【図１９】図１９は、電流プローブ位置を部分放電計測相の口出しと非部分放電計測相の口出しから１つづつコイルを減らしながら変化させることにより層間絶縁部分放電と端部放電発生部を特定するフローチャート。
【図２０】図２０は、対地電圧の位相と対地絶縁部分放電極性の関係を示す波形図。
【図２１】図２１は、対地電圧の位相と電流プローブ２の放電電流の極性から層間絶縁と対地絶縁の部分放電を区別する論理弁別器の構成を示すブロック図。
【図２２】図２２は、本発明の第３の実施形態に係る層間絶縁診断装置の構成を示すブロック図。
【図２３】図２３は、誘導電動機の詳細等価回路モデルと、第３の実施形態の診断装置における層間絶縁および対地絶縁の部分放電電流経路を示す回路図。
【図２４】図２４は、層間短絡コイルと健全コイルのコイル入力電流と電流プローブ検出電流の関係を示すグラフ。
【図２５】図２５Ａは、層間短絡コイルの電流プローブ検出電流が０になることの説明図、図２５Ｂは、健全コイルの等価回路を示す説明図。
【図２６】図２６は、高周波電圧による誘導電動機の絶縁診断の例を示す配線図。
【図２７】図２７は、絶縁診断時に層間絶縁の不良が発見された場合の表示画面の一例を示す説明図。
【図２８】図２８は、層間絶縁診断装置を設置したインバータ駆動回転電機の位置例を示す説明図。
【図２９】図２９は、突如、対地絶縁部分放電電荷量が増加した回転電機を、インバータ運転中にも部分放電を計測することにより検知した場合の表示画面の一例を示す説明図。
【図３０】図３０は、不具合により層間絶縁から突如部分放電が発生した回転電機を、インバータ運転中にも部分放電を計測することにより検知した例。
【図３１】図３１は、簡略化した絶縁診断システムの構成例を示すブロック図。
【図３２】図３２は、絶縁診断の手順を示すフローチャート。
【図３３】図３３は、絶縁診断システムのデータファイルの位置例を示す説明図。
【図３４】図３４は、中古回転機をインバータにより駆動することの対策を行うための手続を示す説明図。
【図３５】図３５は、回転機を駆動するインバータの波形改善を行うための対策を行うための手続を示す説明図。
【図３６】図３６は、回転機を駆動するインバータの波形改善を行うための波形を示す波形図。
【図３７】図３７は、本発明において、部分放電の検出、診断を行うための処理に用いられる情報処理システムのハードウエアシステム構成の一例を示すブロック図。
【図３８】図３８は、回転電機の構造を示す一部截断側面図。
【図３９】図３９Ａは、回転電機のコイルの構造を示す斜視図、図３９Ｂは、そのＡ−Ａ'断面図。
【符号の説明】
【０１２５】
１  結合コンデンサに設置された電流プローブ
２  第１コイル−第２コイル間接続部に設置された電流プローブ
３  多チャンネル高域通過フィルタ
４  論理弁別器
５  放電計測器
６  結合コンデンサ
７  試験用電源
８  試験用電源内部インピーダンス、保護抵抗、ブロッキングインピーダンス
９  電源線
１０ 誘導電動機
１１ Ｕ相第１コイル
１２ Ｕ相第２コイル
１３ Ｖ相あるいはＷ相第１コイル
１４ Ｕ相第１コイル−第２コイル間接続部
１５ Ｕ相第２コイル−第３コイル間接続部
１６ 回転電機コイルエンド部コイル間接続側
１７ 回転電機コイルエンド部コイル間反接続側
２０ 層間絶縁部分放電
２１ 対地絶縁部分放電
２２ 層間絶縁部分放電電流
２３ 対地絶縁部分放電電流
２４ 電流プローブ１で検出される部分放電電流
２５ 電流プローブ２で検出される部分放電電流
２６ 論理弁別器の出力信号
２７ 試験相の口出し
２８ 他相の口出し
３０ 回転電機および結合コンデンサ
３１ コイル
４０ コイル間接続部の絶縁層表面に設置した電極
４１ コイル対地電圧測定用コンデンサ
４２ コイル間接続部の絶縁層静電容量
５０ コイル対地電圧
５１ 対地絶縁部分放電パルス列の例
６０ 口出しの反対側コイルエンド部
６１ 口出しの反対側コイルエンド部に設置した電流プローブ
１６０ 回転電機コイル
１００ 回転電機ユーザ
１０１ 絶縁診断業者
１０２ コイル製作、更新業者
１１１コマンド／データ通信線
１１２ 層間／対地絶縁部分放電計測部
１１８ 回転電機
１２０ インバータ製作業者
１３０ 波頭長
１３１ スイッチング電圧
１３２ スイッチングサージ電圧
１４０ 絶縁診断装置
１４１ 電源
１６１ コイル口出し（入）
１６２ コイル口出し（出）
１６３ アース電極
１７０ 層間絶縁
１７１ コイル導体
１７２ コイル導体束
１７３ 対地絶縁
１８０ 回転機
１８１ 固定子
１８２ 回転子
１８３ 固定子スロット
１９０ コンパレータ
１９１ Exclusive OR回路
１９２ 反転回路
１９３ 層間絶縁、対地絶縁部分放電切り替えスイッチ
１９４ ゲートスイッチ
２００ 層間短絡コイル
２０１ 健全コイル
２１０ コンパレータ
２１１ 遅延回路
２１２ Exclusive OR回路
２１３層間絶縁、対地絶縁部分放電切り替えスイッチ
２１４ ゲートスイッチ
２１５ 反転回路
２２０ 交流電源
２２１ インバータ電源
２２２ 電力ケーブル
２２３ 誘導電動機
２３０ 層間絶縁部分放電発生コイル
２３１ 層間絶縁部分放電発生コイルの両端のコイル間接続部において、電源側のコイル間接続部に位置する電流プローブ
２３２ 層間絶縁部分放電発生コイルの両端のコイル間接続部において、中性点側のコイル間接続部に位置する電流プローブ
２３３ 層間絶縁部分放電発生コイルから１つ離れたコイル間接続部において、電源側のコイル間接続部に位置する電流プローブ
２３４ 層間絶縁部分放電発生コイルから１つ離れたコイル間接続部において、中性点側のコイル間接続部に位置する電流プローブ
２３５ 層間絶縁部分放電発生コイルから２つ離れたコイル間接続部において、電源側のコイル間接続部に位置する電流プローブ
２３６ 層間絶縁部分放電発生コイルから２つ離れたコイル間接続部において、中性点側のコイル間接続部に位置する電流プローブ
５００ 情報処理システム
５１０ コンピュータ
５３０ 表示装置
５４０ インタフェース装置
【図１】
2007047184.tif 000013
【図２】
2007047184.tif 000014
【図３】
2007047184.tif 000015
【図４】
2007047184.tif 000016
【図５】
2007047184.tif 000017
【図６】
2007047184.tif 000018
【図７】
2007047184.tif 000019
【図８】
2007047184.tif 000020
【図９】
2007047184.tif 000021
【図１０】
2007047184.tif 000022
【図１１】
2007047184.tif 000023
【図１２】
2007047184.tif 000024
【図１３】
2007047184.tif 000025
【図１４】
2007047184.tif 000026
【図１５】
2007047184.tif 000027
【図１６】
2007047184.tif 000028
【図１７】
2007047184.tif 000029
【図１８】
2007047184.tif 000030
【図１９】
2007047184.tif 000031
【図２０】
2007047184.tif 000032
【図２１】
2007047184.tif 000033
【図２２】
2007047184.tif 000034
【図２３】
2007047184.tif 000035
【図２４】
2007047184.tif 000036
【図２５】
2007047184.tif 000037
【図２６】
2007047184.tif 000038
【図２７】
2007047184.tif 000039
【図２８】
2007047184.tif 000040
【図２９】
2007047184.tif 000041
【図３０】
2007047184.tif 000042
【図３１】
2007047184.tif 000043
【図３２】
2007047184.tif 000044
【図３３】
2007047184.tif 000045
【図３４】
2007047184.tif 000046
【図３５】
2007047184.tif 000047
【図３６】
2007047184.tif 000048
【図３７】
2007047184.tif 000049
【図３８】
2007047184.tif 000050
【図３９】
2007047184.tif 000051